(57)【要約】【課題】左右の筋力のバランスを測定でき、バランス異常を明確に把握できる筋力バランス判定装置、筋力バランス判定方法、バランス調整システム、およびバランス調整方法を提供する。【解決手段】左右対称に配置されて人体の左右の各一部を左右並行若しくは略平行で同じ方向若しくはほぼ同じ方向に押圧する筋力バランス判定装置１，１０１について、座位にあって肩から肘が下やや後方へ下がって手を手前へ曲げた状態の肘を脇腹側部より後方の位置から背腹方向へ押圧する左肘前後押圧部１３Ｌおよび右肘前後押圧部１３Ｒ、座位にあって肘をしっかり曲げた状態で両肘を水平に外側へ突き出したその両肘を肘の上方位置から下方へ押圧する左肘上下押圧部１１Ｌおよび右肘上下押圧部１１Ｒ、座位にあって持ち上げた膝を上方位置から下方へ押圧する左膝上下押圧部２１Ｌおよび右膝上下押圧部２１Ｒ、またはこれらの複数を備えた。【選択図】図５
2017029730.tif 000002
【特許請求の範囲】
【請求項１】
左右対称に配置されて人体の左右の各一部を左右並行若しくは略平行で同じ方向若しくはほぼ同じ方向に押圧する左側平行押圧手段および右側平行押圧手段を備え、
前記左側平行押圧手段および右側平行押圧手段は、
座位にあって肩から肘が下やや後方へ下がって手を手前へ曲げた状態の肘を脇腹側部より後方の位置から背腹方向へ押圧する左側肘腹背方向平行押圧手段および右側肘腹背方向平行押圧手段、
座位にあって肘をしっかり曲げた状態で両肘を水平に外側へ突き出したその両肘を肘の上方位置から下方へ押圧する左側肘下方平行押圧手段および右側肘下方平行押圧手段、
座位にあって持ち上げた膝を上方位置から下方へ押圧する左側膝上下方向平行押圧手段および右側膝上下方向平行押圧手段、
またはこれらの複数で構成された
筋力バランス判定装置。
【請求項２】
前記右側平行押圧手段と前記左側平行押圧手段は、押圧によって人体の一部を移動させようとする距離と押圧力が同一若しくはほぼ同一に構成され、
前記右側平行押圧手段と前記左側平行押圧手段の一方について押圧力および移動距離を徐々に大きくしていく第１押圧処理と、
前記右側平行押圧手段と前記左側平行押圧手段の他方について前記第１押圧処理と同じ加減で押圧力および移動距離の大きくしていく第２押圧処理とを別個かつ順番に実行する制御手段を備えた
請求項１記載の筋力バランス判定装置。
【請求項３】
左右対称に配置されて人体の左右の各一部を左右対称で交差する方向に押圧する右側交差押圧手段および左側交差押圧手段を備え、
前記制御手段は、
前記右側交差押圧手段と前記左側交差押圧手段の一方について押圧力および移動距離を徐々に大きくしていく第３押圧処理と、
前記右側交差押圧手段と前記左側交差押圧手段の他方について前記第３押圧処理と同じ加減で押圧力および移動距離の大きくしていく第４押圧処理とを別個かつ順番に実行する構成である
請求項２記載の筋力バランス判定装置。
【請求項４】
前記左側平行押圧手段は、
前記左側平行押圧手段に対する左腕または左足の抵抗力を検出する左側抵抗力検出手段を備え、
前記右側平行押圧手段は、
前記右側平行押圧手段に対する右腕または右足の抵抗力を検出する右側抵抗力検出手段を備え、
前記左側抵抗力検出手段により検出した左側検出情報と前記右側抵抗力検出手段により検出した右側検出情報とを比較可能に出力する出力手段を備えた
請求項１、２または３記載の筋力バランス判定装置。
【請求項５】
前記制御手段は、
一対となる前記左側平行押圧手段と前記右側平行押圧手段について押圧動作を実行するとき、一方の押圧時の抵抗力を前記左側抵抗力検出手段および右側抵抗力検出手段のうち対応する検出手段で検出した抵抗力を記憶手段に記憶し、他方の押圧時の抵抗力が前記一方の押圧時の抵抗力と異なっていた場合に、他方の押圧内容を途中で変化させる構成である
請求項４記載の筋力バランス判定装置。
【請求項６】
請求項１から５のいずれか１つに記載の筋力バランス判定装置と、
身体の所定の部位に対向配置されて当該部位による押圧を受け付ける押圧受容体と、
身体の所定の部位に対して力を入れて前記押圧受容体を押圧することを促す押圧要請手段とを備えた
バランス調整システム。
【請求項７】
座位にあって肩から肘が下やや後方へ下がって手を手前へ曲げた状態の肘を脇腹側部より後方の位置から背腹方向へ左右の一方ずつ順番に押圧する腹背押圧処理と、
座位にあって肘をしっかり曲げた状態で両肘を水平に外側へ突き出したその両肘を肘の上方位置から下方へ左右の一方ずつ順番に押圧する肘下方平行押圧処理と、
座位にあって持ち上げられた膝を上方位置から下方へ押圧する膝上下方向平行押圧処理とを行い、
前記腹背押圧処理、前記肘下方平行押圧処理、前記膝上下方向平行押圧処理のそれぞれにおいて、左右の各押圧状況に基づいて左右の筋力バランスを判定する
筋力バランス判定方法。
【請求項８】
請求項７記載の筋力バランス判定方法を実施し、
身体の所定の部位に対して力を入れて押圧対象を押圧するよう要請する押圧要請処理を行う
バランス調整方法。
【請求項９】
前記左側肘腹背方向平行押圧手段または前記右側肘腹背方向平行押圧手段に対する右尻の踏ん張り力を検出する右尻踏ん張り力検出手段と、
前記左側肘腹背方向平行押圧手段または前記右側肘腹背方向平行押圧手段に対する左尻の踏ん張り力を検出する左尻踏ん張り力検出手段とを備え、
前記出力手段は、前記右尻踏ん張り力検出手段により検出した右尻検出情報と前記左尻踏ん張り力検出手段により検出した左尻検出情報とを比較可能に出力する
請求項４記載の筋力バランス判定装置。
【請求項１０】
前記出力手段は、前記左側肘腹背方向平行押圧手段に対して取得された前記右尻踏ん張り力検出手段により検出した右尻検出情報と前記左尻踏ん張り力検出手段により検出した左尻検出情報との差の情報と、前記右側肘腹背方向平行押圧手段に対して取得された前記左尻踏ん張り力検出手段により検出した左尻検出情報と前記右尻踏ん張り力検出手段により検出した右尻検出情報との差の情報とを、比較可能に出力する
請求項９記載の筋力バランス判定装置。
【請求項１１】
前記制御手段は、
前記左側肘腹背方向平行押圧手段で押圧している際に前記左尻踏ん張り力検出手段より前記右尻踏ん張り力検出手段が強い押圧を検出し、かつ、前記右側肘腹背方向平行押圧手段で押圧している際に前記右尻踏ん張り力検出手段より前記左尻踏ん張り力検出手段が強い押圧を検出した場合に左右のバランスが良いと判定する構成である
請求項９または１０記載の筋力バランス判定装置。
【発明の詳細な説明】
【技術分野】
【０００１】
この発明は、例えば、筋力の左右のバランスを判定するような筋力バランス判定装置および筋力バランス判定方法、および、バランスを調整するようなバランス調整システムおよびバランス調整方法に関する。
【背景技術】
【０００２】
従来、様々な病気が存在しており、治療法も様々に提案されている。多くの治療法は、薬剤投与による治療、手術による治療等、病気を直接的に取り除く治療によって行われる。また、肩こりについても、患部に湿布を貼る、あるいはマッサージをするといったように、患部に対して直接的に作用する治療が行われる。
【０００３】
ここで、肩こりは、実は、身体の左右の筋力バランスの異常が原因であることが殆どである。例えば、足首のわずかな異常をかばうために、腰に異常が出るようになり、それが結果的に頭痛となって現われる。このように、わずかな体のゆがみが原因となって、多くの病気が現われることに出願人は気づいた。そして、病気の原因を取り除くために、筋力バランスを測定することが役立つことに気付いた。
【０００４】
ここで、身体の筋力のバランスを把握するために、左右の筋力を測定することが考えられる。筋力を測定する装置としては、例えば、錘を用いて筋力を鍛える装置に、錘の位置と数を算出する機能を持たせて筋力を測定する筋力測定装置が提案されている（特許文献１参照）。この筋力測定装置は、アームに取り付けられたグリップを両手で押し下げて、持ち上がった錘の数を算出するものである。
【０００５】
しかし、この筋力測定装置は、筋力の測定は可能であっても、左右の筋力のバランスは測定できないものであった。
【先行技術文献】
【特許文献】
【０００６】
【特許文献１】特開２０１５−２６４号公報
【発明の概要】
【発明が解決しようとする課題】
【０００７】
この発明は、上述の問題に鑑みて、左右の筋力のバランスを測定でき、バランス異常を明確に把握できる筋力バランス判定装置、筋力バランス判定方法、さらにバランスを調整できるバランス調整システム、およびバランス調整方法を提供し、利用者の満足度を向上させることを目的とする。
【課題を解決するための手段】
【０００８】
この発明は、左右対称に配置されて人体の左右の各一部を左右並行若しくは略平行で同じ方向若しくはほぼ同じ方向に押圧する左側平行押圧手段および右側平行押圧手段を備え、前記左側平行押圧手段および右側平行押圧手段は、座位にあって肩から肘が下やや後方へ下がって手を手前へ曲げた状態の肘を脇腹側部より後方の位置から背腹方向へ押圧する左側肘腹背方向平行押圧手段および右側肘腹背方向平行押圧手段、座位にあって肘をしっかり曲げた状態で両肘を水平に外側へ突き出したその両肘を肘の上方位置から下方へ押圧する左側肘下方平行押圧手段および右側肘下方平行押圧手段、座位にあって持ち上げた膝を上方位置から下方へ押圧する左側膝上下方向平行押圧手段および右側膝上下方向平行押圧手段、またはこれらの複数で構成された筋力バランス判定装置および筋力バランス判定方法、あるいはこれらを利用したバランス調整システムおよびバランス調整方法であることを特徴とする。
【発明の効果】
【０００９】
この発明により、左右の筋力のバランスを測定でき、バランス異常を明確に把握できる筋力バランス判定装置および筋力バランス判定方法を提供できる。
【図面の簡単な説明】
【００１０】
【図１】筋力バランス判定装置およびバランス調整システムの正面図。
【図２】筋力バランス判定装置およびバランス調整システムの縦断左側面図。
【図３】各押圧部の構造を説明する説明図。
【図４】筋力バランス判定装置の内部の構成を示すブロック図。
【図５】押圧と押圧力の検出を実行する際の測定対象者の姿勢の説明図。
【図６】実施例２の押圧と押圧力の検出を実行する際の測定対象者の姿勢の説明図。
【図７】実施例２の筋力バランス判定装置の内部の構成を示すブロック図。
【発明を実施するための形態】
【００１１】
本発明者は、顎関節症が頭痛等の様々な症状を引き起こすことに着目し、この症状を取り除くことについて鋭意研究した。そして、顎関節症が、左右の筋力のバランスが取れてないことが原因であることを見出し、顎を動かす左右の筋力のバランスを取ることで顎関節の動作を良好にし、顎関節症を治せることを発見した。
【００１２】
その過程で、病気等の様々な症状が、筋力のバランスが整っていないことを原因としていることに気付いた。そして、多くの人が、身体の一部の筋肉を無意識に省エネモードにしていること、つまり一部の筋肉があまり働かない状態にしていることに気付いた。さらに、身体の末端に力を入れて強制的に働かせると、あまり働いていない筋力（サボっている筋力）がしっかり働くようになり、身体のバランスが整うことに気付いた。
【００１３】
そうして、本発明者は、身体の様々な部位において筋肉のＯＮ／ＯＦＦおよびボリューム（強度）の状態が異なっていることがバランス不良の原因であり、各部位のＯＮ／ＯＦＦおよびボリューム（強度）の状態が均等になるよう調整することで、バランス不良が身体に与える負荷を解消して様々な症状を解消若しくは改善できるという治験を得た。
【００１４】
そこで、本発明者は、どのようにして筋力のバランスを測定するのが良く、また、バランス状態が良好でない場合にどのようにすれば良いのかを追求して、本発明に至った。  
以下、この発明の一実施形態を図面と共に説明する。
【実施例１】
【００１５】
図１は、筋力バランス判定装置１およびバランス調整システム２の正面図であり、図２は、筋力バランス判定装置１およびバランス調整システム２の縦断左側面図である。
【００１６】
筋力バランス判定装置１およびバランス調整システム２は、座位の普通人の背の高さ程度で上下に長い筐体１０（左筐体１０Ｌおよび右筐体１０Ｒ）が左右対称に配置され、その中央後方に椅子９が配置されて、この筐体１０及び椅子９に各部が取り付けられて構成されている。また、筐体１０は、椅子９に座った状態の測定対象者Ｈを測定するように構成されている。これ以降、筋力バランス判定装置１の構造の説明においては、椅子９に座った測定対象者Ｈ（普通人）を基準にして説明する。
【００１７】
左筐体１０Ｌは、上から順に左肘上下押圧部１１Ｌ（左側肘下方平行押圧手段）、左肘前後押圧部１３Ｌ（左側肘腹背方向平行押圧手段，図２参照）、左膝上下押圧部２１Ｌ（左側膝上下方向平行押圧手段）、および左膝側方押圧部２３Ｌ（左側交差押圧手段）を備えている。これら左側の各押圧部（１１Ｌ，１３Ｌ，２１Ｌ，２３Ｌ）は、測定対象者Ｈと接触する部位付近に、左肘上下圧力センサ１２Ｌ、左肘前後圧力センサ１４Ｌ、左膝上下圧力センサ２２Ｌ、および左膝側方圧力センサ２４Ｌを備えている。  
これにより、測定対象者Ｈの身体の一部を押圧できるとともに、押圧に抵抗する測定対象者Ｈの抵抗力（つまり筋力）を測定できる。
【００１８】
また、左筐体１０Ｌは、測定対象者Ｈの左足裏に対向して左足指押圧部２５Ｌを備えている。また、測定対象者Ｈと接触する部位付近に、左足指圧力センサ２６Ｌ（図３（Ｄ）参照）を備えている。  
これにより、測定対象者Ｈに足指の一部に力を入れるように要請し、入れられた力の強度を左足指圧力センサ２６Ｌにより測定できる。このとき、力を入れてほしい指の左足指押圧部２５Ｌを突出させることで、測定対象者Ｈがどの足指に力を入れるのか触覚にて感じることができ、独立して動きにくい足指について特定の足指に力を入れやすくできる。
【００１９】
また、左筐体１０Ｌは、左肩前後押圧部１７Ｌを備えており、測定対象者Ｈと接触する部位付近に左肩前後圧力センサ１８Ｌを備えている。  
また、椅子９には、座った測定対象者Ｈの背中中央に対向して背中前後押圧部１５が設けられ、この背中前後押圧部１５の測定対象者Ｈ側に背中圧力センサ１６が設けられている。  
この左肩前後押圧部１７Ｌと左肩前後圧力センサ１８Ｌ、およびこれと左右対称に配置される右肩前後押圧部１７Ｒと右肩前後圧力センサ１８Ｒ、さらに背中前後押圧部１５および背中圧力センサ１６により、測定対象者Ｈが胸を張り両肩を背中側に突出させる山折状態の姿勢を取るように誘導することができる。
【００２０】
左肘上下押圧部１１Ｌは、測定対象者Ｈの肩程度の高さで肩位置よりも外側かつ前側の位置に配置されており、左右の握りこぶしを胸の前で合わせて肩肘を張った状態の測定対象者Ｈの肘を上から下方へ向けて押圧する。この左肘上下押圧部１１Ｌの底面には、測定対象者Ｈの肘と接触する領域に左肘上下圧力センサ１２Ｌが設けられている。
【００２１】
左肘前後押圧部１３Ｌは、測定対象者Ｈが腕を下方へ向けた時の肘の位置程度の高さで、測定対象者Ｈの脇腹付近の外側で少し背面側に配置されている。この左肘前後押圧部１３Ｌは、座っている測定対象者Ｈの肘を後方から前方へ向けて略水平に押圧するものである。
【００２２】
左肩前後押圧部１７Ｌは、測定対象者Ｈの左肩の正面に対向配置されている。この左肩前後押圧部１７Ｌは、測定対象者Ｈに左肩を正面から後方（測定対象者Ｈの背面側）へ向かって押圧するものである。
【００２３】
左膝上下押圧部２１Ｌは、底面（測定対象者Ｈと接触する面）の高さが測定対象者Ｈの臍（へそ）付近で左膝の直上位置に配置されている。この左膝上下押圧部２１Ｌは、座っている測定対象者Ｈの膝を上方から下方へ向けて略鉛直に押圧するものである。
【００２４】
左膝側方押圧部２３Ｌは、底面（測定対象者Ｈと接触する面）の高さが測定対象者Ｈの右ふくらはぎ付近に位置し、右ふくらはぎの少し前の位置に配置されている。この左膝側方押圧部２３Ｌは、座っている測定対象者Ｈの踝（くるぶし）付近を右上方から左下方へ向けて斜め方向に押圧するものである。
【００２５】
左足指押圧部２５Ｌは、測定対象者Ｈの左足指の裏面に接触するよう左足指の下方に配置されている。この左足指押圧部２５Ｌは、座っている測定対象者Ｈの左足の足指を裏面から表面側（足の甲側、図１の上方）へ向かって押圧するものである。
【００２６】
左肘前後圧力センサ１４Ｌ、左肩前後圧力センサ１８Ｌ、左膝上下圧力センサ２２Ｌ、左膝側方圧力センサ２４Ｌ、および左足指押圧部２５Ｌは、それぞれ、左肘上下押圧部１１Ｌ、左肘前後押圧部１３Ｌ、左膝上下押圧部２１Ｌ、および左膝側方押圧部２３Ｌにおける測定対象者Ｈとの接触面に設けられている。これにより、左肘上下押圧部１１Ｌ、左肘前後押圧部１３Ｌ、左膝上下押圧部２１Ｌ、および左膝側方押圧部２３Ｌがそれぞれ測定対象者Ｈを押圧したときの圧力を検出することができる。
【００２７】
右筐体１０Ｒは、右肘上下押圧部１１Ｒ（右側肘下方平行押圧手段）、右肘上下圧力センサ１２Ｒ、右肘前後押圧部１３Ｒ（右側肘腹背方向平行押圧手段）、右肘前後圧力センサ１４Ｒ、右肩前後押圧部１７Ｒ、右肩前後圧力センサ１８Ｒ、右膝上下押圧部２１Ｒ（右側膝上下方向平行押圧手段）、右膝上下圧力センサ２２Ｒ、右膝側方押圧部２３Ｒ（右側交差押圧手段）、右膝側方圧力センサ２４Ｒ、右足指押圧部２５Ｒ、および右足指圧力センサ２６Ｒ（押圧受容体）を備えている。これらは、それぞれ、左肘上下押圧部１１Ｌ、左肘上下圧力センサ１２Ｌ、左肘前後押圧部１３Ｌ、左肘前後圧力センサ１４Ｌ、左肩前後押圧部１７Ｌ、左肩前後圧力センサ１８Ｌ、左膝上下押圧部２１Ｌ、左膝上下圧力センサ２２Ｌ、左膝側方押圧部２３Ｌ、左膝側方圧力センサ２４Ｌ、左足指押圧部２５Ｌ、および左足指圧力センサ２６Ｌ（押圧受容体）と左右対称の位置に配置されて左右対称で同じ構造に構成されている。この左右対称の各センサおよび押圧部は、それぞれが一対のものとして構成されている。
【００２８】
また、右筐体１０Ｒには、タッチパネル等で構成された入力部３と液晶モニタ等で構成された表示部４と、スピーカ等で構成された音声出力部５を備えている。
【００２９】
なお、左肘上下押圧部１１Ｌ、左肘前後押圧部１３Ｌ、および左膝上下押圧部２１Ｌは、左側平行押圧手段として機能し、右肘上下押圧部１１Ｒ、右肘前後押圧部１３Ｒ、および右膝上下押圧部２１Ｒは、右側平行押圧手段として機能する。
【００３０】
また、左肘上下圧力センサ１２Ｌ、左肘前後圧力センサ１４Ｌ、左膝上下圧力センサ２２Ｌ、および左膝側方圧力センサ２４Ｌは、左側抵抗力検出手段として機能し、右肘上下圧力センサ１２Ｒ、右肘前後圧力センサ１４Ｒ、右膝上下圧力センサ２２Ｒ、および右膝側方圧力センサ２４Ｒは、右側抵抗力検出手段として機能する。また、表示部４と、音声出力部５は、出力手段として機能する。
【００３１】
また、左筐体１０Ｌおよび右筐体１０Ｒには、図示省略する左手指押圧部（押圧受容体）、左手指圧力センサ、右手指押圧部（押圧受容体）、右手指圧力センサが設けられている。左手指押圧部および右手指押圧部は、左足指押圧部２５Ｌおよび右足指押圧部２５Ｒと同一の構成および作用効果で手指の配置および大きさに合わせて構成されている。左手指圧力センサおよび右手指圧力センサは、左足指圧力センサ２６Ｌおよび右足指圧力センサ２６Ｒと同一の構成および作用効果で手指の配置および大きさに合わせて構成されている。
【００３２】
これらの構成を全て有するのがバランス調整システム２であり、バランス調整システム２から背中前後押圧部１５、背中圧力センサ１６、左肩前後押圧部１７Ｌ、右肩前後押圧部１７Ｒ、左肩前後圧力センサ１８Ｌ、右肩前後圧力センサ１８Ｒ、左足指押圧部２５Ｌ、右足指押圧部２５Ｒ、左足指圧力センサ２６Ｌ、右足指圧力センサ２６Ｒ、左手指押圧部、右手指押圧部、左手指圧力センサ、および右手指圧力センサを除いたものが筋力バランス判定装置１である。
【００３３】
図３は、各押圧部（１１Ｌ，１１Ｒ，１３Ｌ，１３Ｒ，１５，１７Ｌ，１７Ｒ，２１Ｌ，２１Ｒ，２３Ｌ，２３Ｒ）の構造を説明する説明図であり、図３（Ａ）は停止状態の縦断面図、図３（Ｂ）は押圧状態の縦断面図を示す。
【００３４】
各押圧部（１１Ｌ，１１Ｒ，１３Ｌ，１３Ｒ，１５，１７Ｌ，１７Ｒ，２１Ｌ，２１Ｒ，２３Ｌ，２３Ｒ）は、側壁４２と上壁４１を有して底面が解放された箱型の外枠４０と、この外枠４０の内側に収納される上面が解放された箱型の押圧体３０を備えている。
【００３５】
外枠４０は、側壁４２の内面が全て鉛直かつ平行に構成されている。これにより、収納されている押圧体３０がスムーズに進退できる。外枠４０の内側における開口底面４４より少し中心側には、開口底面４４と並行な支持板４３が設けられている。この支持板４３は、側壁４２の内周より少し小さく構成されて側壁４２と離間しており、その外周に設けられた固定具４３ａにより側壁４２に固定されている。
【００３６】
押圧体３０は、外枠４０の側壁４２の内面に平行かつ近接する側壁３４と、底面を構成する底板３７を有している。側壁３４には、進退方向に沿ったスリット孔３５が設けられている。このスリット孔３５には、固定具４３ａが挿通され、固定具４３ａがスリット孔３５に沿って進退できるように構成されている。側壁３４の上端には、内側へ向かって突出した抜け止め突起３３が設けられている。押圧体３０が最大限突出したとき、この抜け止め突起３３が外枠３０の支持板４３に当接して押圧体３０が抜け落ちることを防止する。
【００３７】
押圧体３０の内部には、エアシリンダ４５が設けられている。このエアシリンダ４５は、外壁４５ａが外枠４０の支持板４３に固定され、アーム４５ｂが押圧体３０の底板３７に固定されている。エアシリンダ４５は、空気が供給／排出されることによって、アーム４５ｂが進出／後退する。空気が供給されてアーム４５ｂが進出すると、弾性体３２の弾性力に逆らって押圧体３０が外枠４０から突出する。この突出により、測定対象者Ｈの身体の部位を押圧することができる。エアシリンダ４５から空気が排出されると、アーム４５ｂが後退し、押圧体３０が外枠４０内に収納される。
【００３８】
押圧体３０の底面（押圧面）には、全面に渡って圧力センサ部３９が設けられている。この圧力センサ部３９により、測定対象者Ｈの身体の部位を押圧している押圧力を検出できる。
【００３９】
図３（Ｃ）は、左足指押圧部２５Ｌ（および右足指押圧部２５Ｒ）の構成を示す平面図であり、図３（Ｄ）は、左足指押圧部２５Ｌ（および右足指押圧部２５Ｒ）の構成を図３（Ｃ）の中央で縦断して示す縦断面側面図である。
【００４０】
左足指押圧部２５Ｌは、足指の裏面位置に対向して左足指圧力センサ２６Ｌが配置されている。この左足指圧力センサ２６Ｌは、足指の数に応じて５つ配置されている。
【００４１】
左足指圧力センサ２６Ｌは、足指の付け根側を支点として足指の先端側が足指を押圧する方向へ少し回転可能に構成されている。  
左足指圧力センサ２６Ｌの裏面側には、エアシリンダ２７ａのアーム２７ｂの先端が固定されている。エアシリンダ２７ａは、図示省略するエア供給部から空気が供給／排出されることによって、アーム２７ｂが進出／後退する。これにより、左足指圧力センサ２６Ｌが足指を押圧している突出状態と、左足指圧力センサ２６Ｌが左足指押圧部２５Ｌの表面と同一平面上に凹凸なく位置する収納状態とに変位できる。
【００４２】
図４は、筋力バランス判定装置１の内部の構成を示すブロック図である。  
筋力バランス判定装置１は、タッチパネル等で構成されて測定対象者Ｈまたは測定作業者による操作入力を受け付ける入力部３と、液晶モニタ等で構成されて判定結果等の情報を表示する表示部４と、スピーカ等で構成されて音声を出力する音声出力部５と、データやプログラムを記憶する記憶部６と、これらと各押圧部（１１Ｌ，１１Ｒ，１３Ｌ，１３Ｒ，１５，１７Ｌ，１７Ｒ，２１Ｌ，２１Ｒ，２３Ｌ，２３Ｒ，２５Ｌ，２５Ｒ）と各圧力センサ（１２Ｌ，１２Ｒ，１４Ｌ，１４Ｒ，１６，１８Ｌ，１８Ｒ，２２Ｌ，２２Ｒ，２４Ｌ，２４Ｒ，２６Ｌ，２６Ｒ）を制御する制御部７（制御手段）とを備えている。
【００４３】
各押圧部（１１Ｌ，１１Ｒ，１３Ｌ，１３Ｒ，１５，１７Ｌ，１７Ｒ，２１Ｌ，２１Ｒ，２３Ｌ，２３Ｒ，２５Ｌ，２５Ｒ）は、押圧体３０（図３参照）と外枠４０とエアシリンダ４５と図示省略するエア供給部とで構成されている。
【００４４】
各圧力センサ（１２Ｌ，１２Ｒ，１４Ｌ，１４Ｒ，１６，１８Ｌ，１８Ｒ，２２Ｌ，２２Ｒ，２４Ｌ，２４Ｒ，２６Ｌ，２６Ｒ）は、圧力センサ部３９（図３参照）によって構成されている。
【００４５】
次に、以上のように構成された筋力バランス判定装置１の動作について説明する。  
筋力バランス判定装置１は、（１）バランスチェック、（２）手指足指トレーニング、（３）再度バランスチェック、（４）山折健康法（登録商標）の順番で処理を実行する。
＜（１）バランスチェック＞
筋力バランス判定装置１は、椅子９（図１参照）に測定対象者Ｈが座った状態で、入力部３の操作入力によって測定開始されると、制御部７が、音声出力部５および表示部４により、各押圧部（１１Ｌ，１１Ｒ，１３Ｌ，１３Ｒ，２１Ｌ，２１Ｒ，２３Ｌ，２３Ｒ）のうちどの押圧部で押圧するかを知らせるとともに、その押圧に対して身体のどの部位でどのように抵抗するかを知らせる。制御部７は、このような案内とともに、各押圧部（１１Ｌ，１１Ｒ，１３Ｌ，１３Ｒ，２１Ｌ，２１Ｒ，２３Ｌ，２３Ｒ）による押圧を１つずつ左右対称に順番に実行していく。そして、制御部７は、各圧力センサ（１２Ｌ，１２Ｒ，１４Ｌ，１４Ｒ，２２Ｌ，２２Ｒ，２４Ｌ，２４Ｒ）で検出した押圧力を取得し、左右の押圧力を比較する。制御部７は、全押圧および検出が完了すると、測定結果を表示部４に表示し、バランスチェックの処理を終了する。この測定結果の表示は、測定した数値に加えて、比較結果として左右のどちらが強くどちらが弱いか、左右バランスの悪さが大きいのか小さいのか等、測定対象者Ｈがわかりやすい形での表示も行う。
【００４６】
各押圧部によって押圧するとき、制御部７は、押圧していく速度を一定にし、押圧中に音声出力部５によって一定時間間隔（例えば１秒間隔等）でのビープ音を発生するなど経過時間の認識が可能な音声出力を行う。これにより、測定対象者Ｈは、徐々に押圧されつつ抵抗し、その抵抗がどれくらいの時間までできたか感覚的に把握することができる。つまり、例えば左肘はビープ音が４回鳴るまで押圧に抵抗でき、右ひじはビープ音が２回鳴るまでしか押圧に抵抗できなかったといった形で認識することができる。
【００４７】
また、押圧部による押圧について、制御部７は、予め定められた速度（例えば１０秒で最大まで進出する速度など）で実行する。ここで、左右の一方の押圧に対する抵抗力を測定し、次に他方の押圧に対する抵抗力を測定している際に、予め定めた所定範囲以上の抵抗力（押圧力）の差が検出された場合、後に実施している他方の押圧速度を変化させることが好ましい。具体的には、後に測定している方が抵抗力（押圧力）が弱かった場合、途中からその押圧部を突出させる速度を速め、逆に後に測定している方が抵抗力（押圧力）が強かった場合、途中からその押圧部を突出させる速度を遅くするかそれ以上の突出をやめるように制御する。このようにすることで、後の方が弱ければ押圧に対して抵抗しきれていないことが明確にわかり、また後の方が強ければ押圧に対して抵抗できていることが明確にわかる。すなわち、測定対象者Ｈは、筋力バランスが悪いこと、しかも一方が確実に筋力が弱いことを明確に認識することができる。
【００４８】
＜（２）手指足指トレーニング＞
筋力バランス判定装置１は、手指足指トレーニングを開始すると、制御部７が、左足指押圧部２５Ｌおよび右足指押圧部２５Ｒに対して、足指を個別に押圧させる押圧処理を実行させる。このとき、親指を押圧、小指を押圧、薬指を押圧、人差し指を押圧、中指を押圧といったように、個別の足指を押圧する。この押圧は、順番に実行していくことが好ましい。
【００４９】
制御部７は、押圧している間、押圧している足指の左足指圧力センサ２６Ｌまたは右足指圧力センサ２６Ｒにどの程度の押圧力がかかっているか測定する。これにより、測定対象者Ｈがその指にどの程度の力をかけているか判別することができる。
【００５０】
押圧力が弱い場合（所定の押圧力に満たない場合）、制御部７は、押圧力の弱い指を指定してもっと力をいれて左足指圧力センサ２６Ｌまたは右足指圧力センサ２６Ｒを押圧するように案内を行う。この案内は指毎に順番に行うことができ、指毎に案内を変更することが好ましい。例えば、人差し指と薬指では力を入れることを開始する合図の音が異なる種類の音とする等、適宜解かりやすくすることができる。
【００５１】
所定の押圧力を検出できれば次の指に進み、所定の押圧力に満たなければ、予め定めた所定回数（例えば３回など）まで上記案内を繰り返した後に次の指に進める。全ての指もしくは必要な指全てについて実行した後、制御部７は処理を終了する。
【００５２】
これにより、力の入っていなかった筋肉にスイッチが入り、左右の筋力バランスが整う。  
同様にして、手指についても、左手指押圧部、右手指押圧部、左手指圧力センサ、および右手指圧力センサを用いて、各手指についても個別に押圧させてゆく。
【００５３】
＜（３）再度バランスチェック＞
制御部７は、上述した（１）バランスチェックと同じ動作を実行する。そして、制御部７は、左右バランスが前回測定時より良好になっているか否か判別し、良好になっている旨、あるいは良好になっていない旨を案内する。また、制御部７は、（１）バランスチェックと（３）再度バランスチェックの測定値を比較可能に両表表示する等を表示部４または／および音声出力部５に出力する。
【００５４】
＜（４）山折健康法（登録商標）＞
制御部７は、左肩前後押圧部１７Ｌおよび右肩前後押圧部１７Ｒで両肩を前から後ろへ同じ押圧力かつ同じタイミングで押圧するとともに、背中前後押圧部１５により背中を後ろから前へ押圧する。
【００５５】
この押圧により、測定対象者Ｈが背中を前に出し両肩を後ろに反らす山折姿勢になる。この山折姿勢を所定時間保つことで、左右の筋力バランスが調整できた状態に固定できる。また、猫背の人であれば、猫背の解消若しくは軽減も実現できる。
【００５６】
各押圧および検出について、図５に示す押圧と押圧力の検出を実行する際の測定対象者Ｈの姿勢の説明図と共に説明する。図５は、上記（１）バランスチェックを説明するためのものであるから、左肩前後押圧部１７Ｌや左足指押圧部２５Ｌ等の構成を図示省略してわかりやすくしている。
【００５７】
図５（Ａ）は、肘を上げる筋力（方から上腕の筋力）のバランスを測定する肘下方平行押圧処理の実行時の正面図である。測定対象者Ｈは、第１押圧処理を実行する制御部７の制御による音声出力部５および表示部４での案内に従って、左右の両こぶしを胸の前で揃え、両肘を左右に開いて略水平の高さまで上げる。そして、計測対象者Ｈは、測定される肘（例えば左肘）を圧力センサ部３９（例えば左肘上下圧力センサ１２Ｌ）に押し付け、押圧部（例えば左肘上下押圧部１１Ｌ）に押し負かされないように全力で押す。筋力バランス判定装置１の制御部７は、エアシリンダ４５に空気を供給して押圧力を徐々に高め、押圧部（例えば左肘上下押圧部１１Ｌ）を進出させる。そして、押圧部が最大限進出すると、制御部７は、エアシリンダ４５の空気を排気し、押圧部を元の位置（初期位置）に戻して処理を終了し、次に対称となっている他方（例えば右肘上下押圧部１１Ｒおよび右肘上下圧力センサ１２Ｒ）について同じ動作を行う第２押圧処理を実行する。
【００５８】
図５（Ｂ）は、膝を上げる筋力（四頭筋群）のバランスを測定する膝上下方向平行押圧処理の実行時の正面図である。測定対象者Ｈは、第１押圧処理を実行する制御部７の制御による音声出力部５および表示部４での案内に従って、測定される膝（例えば左膝）を上げて圧力センサ部３９（例えば左膝上下圧力センサ２２Ｌ）に押し付け、押圧部（例えば左膝上下押圧部２１Ｌ）に押し負かされないように全力で押す。制御部７は、エアシリンダ４５に空気を供給して押圧力を徐々に高め、押圧部（例えば左膝上下押圧部２１Ｌ）を進出させる。そして、押圧部が最大限進出すると、制御部７は、エアシリンダ４５の空気を排気し、押圧部を元の位置（初期位置）に戻して処理を終了し、次に対称となっている他方（例えば右膝上下押圧部２１Ｒおよび右膝上下圧力センサ２２Ｒ）について同じ動作を行う第２押圧処理を実行する。
【００５９】
図５（Ｃ）は、足先を内側へ曲げて側方を押す筋力（梨状筋、内転筋、その他の体幹支持筋）のバランスを測定する足先側方押圧処理の実行時の正面図である。測定対象者Ｈは、第３押圧処理を実行する制御部７の制御による音声出力部５および表示部４での案内に従って、測定される足（例えば左足）を曲げて圧力センサ部３９（例えば左膝側方圧力センサ２４Ｌ）に押し付け、押圧部（例えば左膝側方押圧部２３Ｌ）に押し負かされないように全力で押す。制御部７は、エアシリンダ４５に空気を供給して押圧力を徐々に高め、押圧部（例えば左膝側方押圧部２３Ｌ）を進出させる。そして、押圧部が最大限進出すると、制御部７は、エアシリンダ４５の空気を排気し、押圧部を元の位置（初期位置）に戻して処理を終了し、次に対称となっている他方（例えば右膝側方押圧部２３Ｒおよび右膝側方圧力センサ２４Ｒ）について同じ動作を行う第４押圧処理を実行する。
【００６０】
図５（Ｄ）は、肘を曲げて後ろを押す筋力（菱形筋）のバランスを測定する腹背押圧処理の実行時の縦断左側面図である。測定対象者Ｈは、第１押圧処理を実行する制御部７の制御による音声出力部５および表示部４での案内に従って、測定される肘（例えば左肘）を曲げて圧力センサ部３９（例えば左肘前後圧力センサ１４Ｌ）に押し付け、押圧部（例えば左肘前後押圧部１３Ｌ）に押し負かされないように全力で押す。制御部７は、エアシリンダ４５に空気を供給して押圧力を徐々に高め、押圧部（例えば左肘前後押圧部１３Ｌ）を進出させる。そして、押圧部が最大限進出すると、制御部７は、エアシリンダ４５の空気を排気し、押圧部を元の位置（初期位置）に戻して処理を終了し、次に対称となっている他方（例えば右肘前後押圧部１３Ｒおよび右肘前後圧力センサ１４Ｒ）について同じ動作を行う第２押圧処理を実行する。
【００６１】
以上の構成および動作により、筋力の左右バランスを測定することができる。  
また、左右で同じ距離同じ押圧力での押圧を行うため、左右バランスを測定されている測定対象者Ｈが左右の筋力バランスの差を自身で感じることができる。
【００６２】
また、部位別に左右順番に測定していくため、例えば肘を上げる力の左右バランス、膝を上げる力の左右バランス、足先で内側を押す力の左右バランス、肘を後ろへ引く力の左右バランスといったように、順序よく複数部位の左右の筋力バランスを測定できる。
【００６３】
また、平行に押圧することで上下方向や前後方向などに身体の一部を動かす筋力の左右バランスを測定できる。また、左右で平行に押圧するだけでなく、交差する方向に押圧する構成を備えたことで、足先で内側を押す力の左右バランスを測定するなど、力の方向として側方成分（左右方向の成分）を有する方向の左右バランスを測定できる。
【００６４】
また、左右バランスを比較可能に出力するため、測定対象者Ｈが自身の左右バランスの良し悪しやバランス異常の程度をわかりやすく把握することができる。
【００６５】
また、測定対象者Ｈが抵抗した力を押圧力として検出でき、数字によって表示部４に表示できるため、具体的な左右バランスの差を表示することができる。また、表示においては、数字に加えて強い、弱いといった表示も加えることで、左右のどちらが強くどちらが弱いのかを測定対象者Ｈがはっきりと認識できる。
【００６６】
また、左右の一方の測定の後、他方の測定を行っている途中で、検出している押圧力（抵抗力）の差に応じて押圧内容を変化させるため、測定対象者Ｈが左右バランスの悪さを体感的に解かりやすい形で測定をすることができる。つまり、測定動作をそのまま左右バランスの良し悪しを理解させる動作にすることができ、体感として測定対象者Ｈが自身の左右バランスの状態を認識することができる。
【００６７】
特に、左右の測定部位のうち先に測定した方の筋力が強かった場合、後に測定している部位に対する押圧力と押圧速度を途中から早く強くすることで、測定対象者Ｈの測定部位が早く強く押されて抵抗し切れずに移動するため、後に測定した方が弱いことを明瞭に認識することができる。つまり、表示部４の表示等を確認するまでもなく、測定中に後に測定している方が弱いと認識できる。
【００６８】
さらに、左右の測定部位のうち先に測定した方の筋力が弱かった場合、後に測定している部位に対する押圧力と押圧速度を途中から押圧力を高めることを停止してそのままの押圧力にすることで、測定対象者Ｈの測定部位がそれ以上押されなくなり完全に抵抗できて移動しなくなるため、後に測定した方が強くしっかり抵抗できていることを明瞭に認識することができる。つまり、先に測定した方はゆっくりとでもずっと押圧され続けて測定部位が移動していったのに対し、後に測定した方は途中から動かなくなるのであるからしっかり抵抗できており、これによって、表示部４の表示等を確認するまでもなく、測定中に後に測定している方が強いと認識できる。
【００６９】
また、手指や足指を稼働させるトレーニング、および山折健康法（登録商標）を実施することができる。これにより、筋力バランスが崩れていた場合に、身体の各部位の筋力のＯＮ／ＯＦＦおよびボリュームを調整して筋力バランスを整えることができ、様々な体調不調等を軽減若しくは解消することができる。
【００７０】
このように、筋力の左右バランスを測定でき、かつ測定対象者Ｈが明確に認識することで、その後の治療に役立てることができる。  
そして、手指や足指を稼働させるトレーニングを実施することで、働いていなかった筋力を働かせる状態に切り替えることができ、左右の筋力バランスを整えることができる。  
さらに、このような調整を進め、さらに測定対象者Ｈの意識を変えていくことにより、普段から筋力バランスがとれている状態を保つことが可能になり、筋力バランスの調整が不要な状態を作り上げることも可能となる。
【００７１】
こうして左右の筋力バランスが整うことで、様々な好影響を得ることができる。  
例えば、美容整形の分やであれば、肩こり、腰痛、ひざの痛み等が解消若しくは軽減される。  
アレルギーに関してであれば、バランス不良が影響する過剰反応を解消でき、アレルギーが出にくくなる。  
心療内科に関してであれば、身体のバランスが取れることで心のバランスも良くなり、精神状態が安定する。  
眼科に関してであれば、バランスが整うことで視野が広くなり明るく感じるようになる。  
耳鼻科に関してであれば、耳鳴りが解消される。  
内科に関してであれば、おなかの状態が悪かったものが良くなる、あるいは女性の子宮が下がっている状態が解消される。  
産婦人科に関してであれば、逆子が解消される。  
教育に関してであれば、引きこもりが解消される、頭が冴える等の効果が得られる。  
禁煙に関してであれば、煙草を吸いたいときにバランスを整えることで吸いたい気持ちを解消することができる。
【００７２】
なお、制御部７は、左右バランスを測定した後、左右バランスの悪さを改善するための改善方法を表示部４または／および音声出力部５に出力する構成としてもよい。出力する改善方法は、例えば両足の小指に力を入れて地面をしっかりと押す、胸を張り両腕を後ろへ広げる、足首を回す、股関節を回す、頭をマッサージするなど、左右バランスが悪くなる原因となっていて普段使っていない筋力を使うように意識を変えることで、筋力の左右バランスを改善する方法とすることができる。すなわち、あまり活動していない筋肉をカバーするために頑張っている筋肉を緩め、あまり活動していなかった筋肉を活動するようにスイッチを入れ、バランスよく筋力を使う状態に整える。  
これにより、左右バランスを測定し、すぐにバランスの改善を促すことができ、利用者の満足度を向上させることができる。
【実施例２】
【００７３】
図６は、実施例２の筋力バランス判定装置１０１の正面図である。筋力バランス判定装置１０１の椅子９には、測定対象者Ｈが座った状態で当該測定対象者Ｈの左尻が当接する部位に左尻圧力センサ５２Ｌ（左尻踏ん張り力検出手段）が設けられ、測定対象者Ｈの右尻が当接する部位に、右尻圧力センサ５２Ｒ（右尻踏ん張り力検出手段）が設けられている。この左尻圧力センサ５２Ｌと右尻圧力センサ５２Ｒとにより、測定対象者Ｈが左右の各尻で踏ん張って椅子９を下方に押圧したときの各圧力（踏ん張り力）を検出することができる。すなわち、測定対象者Ｈが左右の肘うち一方の肘を曲げて後ろを押す際に、各種筋力（僧帽筋、広背筋、菱形筋、肩甲挙筋）の総合バランスを測定する腹背押圧処理を実行できる。
【００７４】
図７は、実施例２の筋力バランス判定装置１０１の内部の構成を示すブロック図である。筋力バランス判定装置１０１は、制御部７が左尻圧力センサ５２Ｌにより検出した情報である左尻検出情報及び右尻圧力センサ５２Ｒにより検出した情報である右尻検出情報を用いて各種制御を行う。また制御部７は、左尻検出情報および右尻検出情報の差を表示部４または／および音声出力部５に出力する処理も実行する。
【００７５】
このように構成された筋力バランス判定装置１０１は、左尻圧力センサ５２Ｌ及び右尻圧力センサ５２Ｒを備えた点、及びこれらにより検出したデータに基づいて制御部７が実行する処理以外の構成および動作は、実施例１と同一である。このため、実施例１と同一要素に同一符号を付して詳細な説明を省略する。
【００７６】
＜（５）バランスチェック２＞
筋力バランス判定装置１０１は、椅子９（図１参照）に測定対象者Ｈが座った状態で、入力部３の操作入力によって測定開始されると、制御部７が、音声出力部５および表示部４により、各押圧部（１１Ｌ，１１Ｒ，１３Ｌ，１３Ｒ，２１Ｌ，２１Ｒ，２３Ｌ，２３Ｒ）のうちどの押圧部で押圧するかを知らせるとともに、その押圧に対して身体のどの部位でどのように抵抗するかを知らせる。制御部７は、このような案内とともに、各押圧部（１１Ｌ，１１Ｒ，１３Ｌ，１３Ｒ，２１Ｌ，２１Ｒ，２３Ｌ，２３Ｒ）による押圧を１つずつ左右対称に順番に実行していく。この際、押圧部（１３Ｌ，１３Ｒ）による押圧が実行されると、制御部７は、圧力センサ（１４Ｌ，１４Ｒ）で検出した押圧力を取得し、左右の押圧力を比較する。さらに、制御部７は、押圧部（１３Ｌ）による押圧が実行されたときに圧力センサ（５２Ｌ，５２Ｒ）で検出される左右の尻の踏ん張り力の差と、押圧部（１３Ｒ）による押圧が実行されたときに圧力センサ（５２Ｌ，５２Ｒ）で検出される左右の尻の踏ん張り力の差とを取得し、両者を比較する。
【００７７】
図６に示したように、測定対象者Ｈは、第１押圧処理を実行する制御部７の制御による音声出力部５および表示部４での案内に従って、測定される肘、例えば、左肘を曲げて左肘前後圧力センサ１４Ｌに押し付け、左肘前後押圧部１３Ｌに押し負かされないように全力で押す。この際、測定対象者Ｈは、椅子９の座面（左尻圧力センサ５２Ｌ及び右尻圧力センサ５２Ｒ）に左右の尻を各々異なる踏ん張り力で押し付け、バランスを取ろうとする。
【００７８】
制御部７は、このときの左尻圧力センサ５２Ｌ及び右尻圧力センサ５２Ｒにかかっている荷重を検出し、どちらでより踏ん張っているかを把握する。制御部７は、押圧力を徐々に高め、例えば、左肘前後押圧部１３Ｌを進出させる。そして、左肘前後押圧部１３Ｌが最大限進出すると、制御部７は、左肘前後押圧部１３Ｌを元の位置（初期位置）に戻して処理を終了し、次に対称となっている他方、例えば、右肘前後押圧部１３Ｒ、右肘前後圧力センサ１４Ｒ、左尻圧力センサ５２Ｌ及び右尻圧力センサ５２Ｒについて同じ動作を行う第２押圧処理を実行する。
【００７９】
このようにして左尻圧力センサ５２Ｌ及び右尻圧力センサ５２Ｒによる検出データを得ると、制御部７は、バランスが取れているか否かの判定を行う。ここで、右ひじを押している場合は左尻に体重がかかり、左ひじを押している場合は右尻に荷重がかかる。したがって、このようにクロスして荷重がかかり、かつ、左尻圧力センサ５２Ｌ及び右尻圧力センサ５２Ｒの検出する荷重がほぼ同じであれば、測定対象者Ｈは身体バランスがとれていると判断される。クロスして荷重がかかっていても、圧力センサ５２Ｌ及び右尻圧力センサ５２Ｒの検出する荷重に倍以上の偏りがあれば、左右のバランスが少し悪いと判定する。また、左肘前後押圧部１３Ｌと右肘前後押圧部１３Ｒでそれぞれ押圧されてそれぞれ抵抗する際に、どちらで押圧・抵抗していても左尻圧力センサ５２Ｌが右尻圧力センサ５２Ｒより強く荷重がかかっている、あるいはその逆でどちらで押圧・抵抗していても右尻圧力センサ５２Ｒが左尻圧力センサ５２Ｌより強く荷重がかかっている場合は、左右のバランスが大きく偏っていると判定する。
【００８０】
以上の構成及び動作により、背骨を中心軸としたねじり方向に働く腰から上の左右の背筋力バランスを測定することができる。例えば、左肘前後押圧部１３Ｌに押し負かされないように全力で押す場合、測定対象者Ｈは、無意識のうちに、左尻を支点とした左尻を含む背骨を中心軸として、当該中心軸と斜めに交差する左肩から右尻に至る線上付近の背筋を背骨の回りにねじるようにして働かせ、右尻で踏ん張るようにするのが通常である。このため、右尻圧力センサ５２Ｒと左尻圧力センサ５２Ｌとで検出される踏ん張り力の差を取得することにより、主として左肩から右尻に至る線上付近の背筋力を測定することができる。同様にして、右肘前後押圧部１３Ｒに押し負かされないように全力で押す場合には、右肩から左尻に至る線上付近の背筋力を測定することができる。そして、把握できた左肩から右尻に至る線上付近の背筋力と右肩から左尻に至る線上付近の背筋力とを比較し、差が無いあるいは小さい場合には、左右の背筋力バランスが取れて正常であると判断でき、差が大きい場合には、左右の背筋力のバランスが崩れて異常であると判断できる。
【００８１】
この発明は、本実施形態に限られず他の様々な実施形態とすることができる。  
例えば、各押圧部（１１Ｌ，１１Ｒ，１３Ｌ，１３Ｒ，１５，１７Ｌ，１７Ｒ，２１Ｌ，２１Ｒ，２３Ｌ，２３Ｒ，２５Ｌ，２５Ｒ）はエアシリンダを用いたが、これに限らずモータ等の適宜の駆動手段を用いる構成としてもよい。
【産業上の利用可能性】
【００８２】
この発明は、筋力の左右バランスを測定する装置やバランス調整するシステムの製造販売や、このような装置やシステムを用いたサービス等の産業に利用することができる。
【符号の説明】
【００８３】
１…筋力バランス判定装置
４…表示部
５…音声出力部
７…制御部
１１Ｌ…左肘上下押圧部
１１Ｒ…右肘上下押圧部
１２Ｌ…左肘上下圧力センサ
１２Ｒ…右肘上下圧力センサ
１３Ｌ…左肘前後押圧部
１３Ｒ…右肘前後押圧部
１４Ｌ…左肘前後圧力センサ
１４Ｒ…右肘前後圧力センサ
２１Ｌ…左膝上下押圧部
２１Ｒ…右膝上下押圧部
２２Ｌ…左膝上下圧力センサ
２２Ｒ…右膝上下圧力センサ
２３Ｌ…左膝側方押圧部
２３Ｒ…右膝側方押圧部
２４Ｌ…左膝側方圧力センサ
２４Ｒ…右膝側方圧力センサ
３９…圧力センサ部
５２Ｌ…左尻圧力センサ
５２Ｒ…右尻圧力センサ
【図１】
2017029730.tif 000003
【図２】
2017029730.tif 000004
【図３】
2017029730.tif 000005
【図４】
2017029730.tif 000006
【図５】
2017029730.tif 000007
【図６】
2017029730.tif 000008
【図７】
2017029730.tif 000009